(57)【要約】【課題】移動体が所定の範囲内に接近、または所定の範囲を通過することを監視する。【解決手段】データベース比較部７２は、ゲート番号読取り部６２から入力されたゲート番号と、ＩＤ検索部６８から入力された個人データに含まれる区域番号とを比較し、比較された結果を出力判断部７４に対して出力する。出力判断部７４は、データベース比較部７２から入力された比較結果と、状態判断部６６から入力された移動通信機５の移動状態とに基づいて、表示・警告ＤＢ７６に記憶されたデータを、表示部３０−１，３０−２および警音部３２−１，３２−２を介して出力する。【選択図】          図９
2004240733.tif 000002
【特許請求の範囲】
【請求項１】
固有データを含む信号を送信する１つ以上の移動通信機と、
それぞれ所定の範囲内にある前記移動通信機からの信号を受信する１つ以上の基地局と、
前記受信された信号に含まれる固有データと、前記１つ以上の基地局それぞれが信号を受信する範囲とに基づいて、前記移動通信機の位置を監視する監視装置と
を有する監視システム。
【請求項２】
前記移動通信機それぞれは、
前記基地局から送信される信号を受信する第１の信号受信手段と、
固有データを含む信号を送信する送信手段と
を有し、
前記基地局それぞれは、
前記移動通信機に信号を送信する信号送信手段と、
前記移動通信機から前記信号を受信する第２の信号受信手段と、
前記範囲を示す範囲データと、
前記固有データと、前記範囲データとを前記監視装置に対して出力する第１の出力手段と
を有し、
前記監視装置は、
前記固有データに基づいて、前記移動通信機が移動可能な範囲を示すデータベースと、
前記データベースと、前記出力手段からの出力とに基づいて、前記移動通信機の移動状況を監視者に対して出力する第２の出力手段と
を有する請求項１記載の監視システム。
【請求項３】
前記第２の信号受信手段は、
複数の受信手段を含み、
前記第２の信号出力手段は、
前記複数の受信手段が信号を受信した順序に基づいて、前記移動通信機の移動状況を監視者に対して出力する
請求項１または２記載の監視システム。
【発明の詳細な説明】
【０００１】
【発明の属する技術分野】
本発明は、移動体を監視する監視システムに関する。
【０００２】
【従来の技術】
例えば、監視が必要な徘徊者に個人識別媒体を装着し、個人識別媒体を検知することによって、施設の出入口の開閉を制御し、徘徊者の移動を管理することは公知である（特許文献１）。
しかしながら、徘徊者が施設の出入口に接近することによって、出入り口を閉じるように制御することは、徘徊者を強制的に施設内に閉じ込めることとなる。
また、個人識別媒体の検知に基づいて、出入口の開閉を制御するシステムは、複雑な構成になることがある。
【０００３】
【特許文献１】特開平１０−３２０６７３号公報
【０００４】
【発明が解決しようとする課題】
本発明は、上述した従来技術の問題点に鑑みてなされたものであり、所定の範囲に対する移動体の接近または通過を、監視することができる監視システムを提供することを目的とする。
【０００５】
【課題を解決するための手段】
上記目的を達成するために、本発明のにかかる監視システムは、固有データを含む信号を送信する１つ以上の移動通信機と、それぞれ所定の範囲内にある前記移動通信機からの信号を受信する１つ以上の基地局と、前記受信された信号に含まれる固有データと、前記１つ以上の基地局それぞれが信号を受信する範囲とに基づいて、前記移動通信機の位置を監視する監視装置とを有する。
【０００６】
好適には、前記移動通信機それぞれは、前記基地局から送信される信号を受信する第１の信号受信手段と、固有データを含む信号を送信する送信手段とを有し、前記基地局それぞれは、前記移動通信機に信号を送信する信号送信手段と、前記移動通信機から前記信号を受信する第２の信号受信手段と、前記範囲を示す範囲データと、前記固有データと、前記範囲データとを前記監視装置に対して出力する第１の出力手段とを有し、前記監視装置は、前記固有データに基づいて、前記移動通信機が移動可能な範囲を示すデータベースと、前記データベースと、前記出力手段からの出力とに基づいて、前記移動通信機の移動状況を監視者に対して出力する第２の出力手段とを有する。
【０００７】
好適には、前記第２の信号受信手段は、複数の受信手段を含み、前記第２の信号出力手段は、前記複数の受信手段が信号を受信した順序に基づいて、前記移動通信機の移動状況を監視者に対して出力する。
【０００８】
【発明の実施の形態】
［監視システム１］
図１は、本発明にかかる監視システム１の構成を例示する図である。
図２は、図１に示したゲートＩＦ２６の構成を示す図である。
図１に示すように、監視システム１は、システム制御装置２、１つ以上の出力装置３−１〜３−Ｊ、１つ以上の基地局（ゲート通信機）４−１〜４−Ｋおよび１つ以上の移動通信機５−１〜５−Ｎから構成される（Ｊ，Ｋ，Ｎは１以上の整数）。
システム制御装置２は、ＣＰＵ２００およびメモリ２０２を含むシステム制御部２０、ＰＣ（パーソナルコンピュータ）などの入力部２２、ＨＤＤ装置・ＣＤ装置などの記憶部２４およびゲートインターフェイス（ゲートＩＦ）２６から構成される。
【０００９】
図２に示すように、ゲートＩＦ２６は、マルチプレクサ２６０などを含み、基地局４−１〜４−Ｋとシステム制御部２０とを接続する。
監視システム１は、これらの構成部分により、移動通信機５の移動を監視し、移動通信機５が、それぞれに設定されている移動可能区域をはずれた場合に、警告などを発する。  出力装置３−１〜３−Ｊそれぞれは、表示部３０−１〜３０−Ｊおよび警音部３２−１〜３２−Ｊから構成される。
【００１０】
表示部３０１〜３０−Ｊは、例えば電光掲示板であって、病院のナースステーションなどの監視センター（図示せず）の見えやすい場所に配置され、移動通信機５の移動状況などを表示する。
警音部３２−１〜３２−Ｊは、移動通信機５が移動可能区域をはずれた場合などに、警音を発する。
【００１１】
［移動通信機５の構成］
図３は、図１に示した移動通信機５−１〜５−Ｎの構成を示す図である。
なお、移動通信機５−１〜５−Ｎなど、複数ある構成部分のいずれかを特定せずに示す場合には、単に「移動通信機５」などと略記することがある。
図３に示すように、移動通信機５は、ベルト状の通信機本体５０、ＩＤチップ５２、被介護者などの氏名およびＩＤ（ＩＤ番号）を記載するタグ５４、止め具５６および止め穴５８から構成される。
移動通信機５は、区域４００−１〜４００−Ｍ（図１）内を移動する被介護者の手首などに取り付けられ、被介護者とともに移動する。
移動通信機５は、被介護者に装着されれば、どのような形状であってもよい。
移動通信機５は、これらの構成部分により、それぞれ固有のＩＤを含む信号を、基地局４に対して送信する。
【００１２】
［ＩＤチップ５２の構成］
図４は、図３に示したＩＤチップ５２の構成を示す図である。
図４に示すように、ＩＤチップ５２は、アンテナ５２０、電源部５２２、クロック再生回路５２４、メモリ５２６および送信回路５２８から構成される。
【００１３】
アンテナ５２０は、基地局４から送信され、クロック信号を含むリクエスト信号を受信すると、電源部５２２およびクロック再生回路５２４に対して出力するとともに、送信回路５２８から入力されるＩＤ信号を基地局４に対して出力する。
【００１４】
電源部５２２は、アンテナ５２０から入力される電波信号のリクエスト信号から、誘導電流を生じさせて整流し、ＩＤチップ５２の各構成部分に対して、それらの動作に必要な電力を供給する。
【００１５】
クロック再生回路５２４は、アンテナ５２０から入力される電波信号から、クロック信号を再生し、メモリ５２６および送信回路５２８に対して出力する。
【００１６】
メモリ５２６は、それぞれのＩＤチップ５２に固有のＩＤデータ（図１０参照）を含み、クロック再生回路５２４から入力されたクロック信号に同期して、ＩＤデータを送信回路５２８に対して出力する。
【００１７】
送信回路５２８は、例えば変調回路５３０を含み、メモリ５２６から入力されたＩＤデータを、クロック再生回路５２４から入力されるクロック信号に同期して変調し、アンテナ５２０を介して基地局４に対し出力する。
【００１８】
［基地局４の構成］
図５は、図１に示した基地局４の構成を示す図である。
図５に示すように、基地局４は、送受信制御部４０、送信回路４２−１，４２−２、第１アンテナ４４−１、第２アンテナ４４−２、受信回路４６−１，４６−２および復調回路４８−１，４８−２から構成される。
例えば、図１に示した区域４００−１〜４００−Ｍは、病院内において定められた区域であって、基地局４−１〜４−Ｋは、図１に示した４００−１〜４００−Ｍにおいて、これらの区域への出入りを検出するために適した場所、例えば、病棟の出入り口・病室の出入り口などに配置され、移動通信機５からの信号を受信する。
つまり、基地局４は、区域への出入りを検出するゲートとなる。
１つの区域に出入り口が複数ある場合には、出入り口それぞれに基地局４が設けられてもよい。
【００１９】
送受信制御部４０は、ＣＰＵ４０２およびメモリ４０４などを含み、ゲートＩＦ２６を介してシステム制御部２０に制御され、送信回路４２、受信回路４６および復調回路４８を制御する。
送受信制御部４０は、ゲートＩＦ２６から入力される制御信号（ＣＯＮＴ）に基づいて、移動通信機５（図１）が基地局４に対して接近したこと、または、通過したことを検出するため、リクエスト信号を送信回路４２に対して出力する。
そして、復調回路４８からＩＤデータを受入れると、受入れたＩＤデータ、メモリ４０４に記憶されているゲート番号データ（ゲート番号）および状態データ（ＳＴＡＴＥ；図９，１２等を用いて後述）をゲートＩＦ２６に対して出力する。
メモリ４０４には、例えば基地局４がゲートとして設けられている区域を示す区域番号（図１０参照）が記憶されている。
例えば、区域４００−１の出入り口に設けられている基地局４−１のメモリ４０４には、区域番号として”１０”が記憶されている。
【００２０】
送信回路４２−１は、送受信制御部４０から入力されるリクエスト信号にクロック信号を含めて電波信号に変換し、第１アンテナ４４−１に対して出力する。
【００２１】
第１アンテナ４４−１は、指向性を有し、送信回路４２−１から入力されたリクエスト信号を所定の方向に出力するとともに、所定の方向の移動通信機５から送信される電波信号のＩＤデータを受信し、受信回路４６−１に対して出力する。
【００２２】
受信回路４６−１は、第１アンテナ４４−１から入力されるＩＤデータを電波信号から電気信号に変換し、復調回路４８−１に対して出力する。
【００２３】
復調回路４８−１は、受信回路４６−１から入力されたＩＤデータ信号を復調し、送受信制御部４０に対して出力する。
【００２４】
送信回路４２−２、受信回路４６−２および復調回路４８−２は、それぞれ送信回路４２−１、受信回路４６−１および復調回路４８−１と同様の動作を行う。
第２アンテナ４４−２は、第１アンテナ４４−１と同様に指向性を有し、送信回路４２−２から入力される電波信号のリクエスト信号を、第１アンテナ４４−１の出力方向に対し、逆方向に向けて出力する。
そして、第２アンテナ４４−２は、第１アンテナ４４−１が移動通信機５からＩＤデータを受信する方向に対し、逆方向の移動通信機５から送信される電波信号のＩＤデータを受信し、受信回路４６−２に対して出力する。
【００２５】
基地局４において、第１アンテナ４４−１および第２アンテナ４４−２それぞれは、例えば、病室のドアに対して外側と内側とに取り付けられる。
基地局４は、第１アンテナ４４−１および第２アンテナ４４−２それぞれが受信する信号により、移動通信機５が基地局４に対して接近する方向、および基地局４から離れる方向を検出し、ゲートＩＦ２６に対して出力する。
さらに、基地局４は、第１アンテナ４４−１および第２アンテナ４４−２それぞれが信号を受信した順序によって、移動通信機５の移動状態（通過方向など）を検出することができる。
【００２６】
例えば、区域４００−１（図１，７参照）において、基地局４は、第１アンテナ４４−１が区域４００−１の内側からの電波信号を受信し、第２アンテナ４４−２が区域４００−１の外側からの電波信号を受信するように設けられると、第１アンテナ４４−１からの受信後に、第２アンテナ４４−２からの受信があった場合、移動通信機５が基地局（ゲート通信機）４を内側から外側に向けて通過したとみなす。
第１アンテナ４４−１および第２アンテナ４４−２は、監視システム１が監視を行っている間、リクエスト信号をそれぞれ所定の方向に継続して出力する。
【００２７】
図６は、基地局４それぞれに付されたゲート番号を例示する図表である。
図６に示すように、基地局４それぞれには、移動通信機５が移動可能な区域を区別するために、ゲート番号が付されている。
移動通信機５が移動可能な区域は、複数の基地局４に対し、同一のゲート番号が付されることにより、グループ化されてもよい。
また、それぞれの基地局４ごとに異なるゲート番号が付されてもよい。
【００２８】
次に、複数の基地局４が設置された具体例を説明する。
図７は、病院敷地の外門および病棟の出入り口に、基地局４がぞれぞれ設けらている例を示す図である。
図８は、複数の基地局４が病棟内に設置されている例を示す図である。
図７に示すように、病院敷地の外門には、基地局４−１が設けられ、病院敷地内は、区域４００−１となっている。
また、病棟出入り口には、基地局４−２が設けられ、病棟内は、区域４００−２となっている。
【００２９】
図８に示すように、病棟の各階への出入り口（各階の階段口）それぞれには、基地局４−３が設けられ、各階それぞれが区域４００−３となっている。
また、各病室の出入り口には、基地局４−４が設けられ、病室それぞれは、区域４００−４となっている。
それぞれの基地局４は、第１アンテナ４４−１が所定の区域の内側から接近する移動通信機５を検出し、第２アンテナ４４−２が所定の区域の外側から接近する移動通信機５を検出するように配置されている。
そして、基地局４それぞれには、図６に示したゲート番号が付されている。
【００３０】
［出力制御プログラム６］
図９は、本発明にかかる監視システム１の出力制御プログラム６の構成を示す図である。
図９に示すように、出力制御プログラム６は、ＩＤ読取り部６０、ゲート番号読取り部６２、ＳＴＡＴＥ（状態）読取り部６４、状態判断部６６、ＩＤ検索部６８、データベース比較部７２、出力判断部７４並びにＩＤデータベース（ＩＤ−ＤＢ）７０および表示・警告データベース（表示・警告ＤＢ）７６から構成される。
【００３１】
出力制御プログラム６は、記憶媒体２４０（図１）などにより、記憶部２４を介してシステム制御部２０に供給され、メモリ２０２にロードされて、これらの構成部分により、本発明にかかる監視を実現する。
【００３２】
［ＩＤ読取り部６０］
ＩＤ読取り部６０は、ゲートＩＦ２６を介して受信データを受け入れ、受信されたＩＤデータを読み取り、ＩＤ検索部６８に対して出力する。
【００３３】
［ゲート番号読取り部６２］
ゲート番号読取り部６２は、ゲートＩＦ２６を介して受信データを受け入れ、受信データからゲート番号（図６参照）を読み取り、データベース比較部７２に対して出力する。
【００３４】
［ＳＴＡＴＥ読取り部６４］
ＳＴＡＴＥ読取り部６４は、ゲートＩＦ２６を介して受信データを受け入れ、受信された状態データ（ＳＴＡＴＥ）を読み取り、状態判断部６６に対して出力する。
【００３５】
［状態判断部６６］
状態判断部６６は、ＳＴＡＴＥ読取り部６４から入力された状態データ（ＳＴＡＴＥ）に基づいて、移動通信機５の移動状態（移動方向など）を判断し、出力判断部７４に対して出力する。
【００３６】
［ＩＤ検索部６８］
ＩＤ検索部６８は、ＩＤ読取り部６０からＩＤデータを受け入れて、ＩＤ−ＤＢ７０に対して出力し、ＩＤ−ＤＢ７０をアクセスする。そして、ＩＤ検索部６８は、受信されたＩＤデータに対応する個人データ（図１０参照）をＩＤ−ＤＢ７０から受け入れ、データベース比較部７２に対して出力する。
【００３７】
［ＩＤ−ＤＢ７０］
図１０は、ＩＤ−ＤＢ７０に記憶された個人データを例示する図表である。
図１０に示すように、ＩＤ−ＤＢ７０には、入力部２２（図１）または記憶媒体２４０などから入力された、ＩＤデータ、氏名データ、部屋番号データ、区域名および区域番号などの個人データが記憶されている。
ＩＤ−ＤＢ７０は、上述したように、ＩＤ検索部６８からのアクセスにより、ＩＤ検索部６８から入力されたＩＤデータに対応する個人データをＩＤ検索部６８に対して出力する。
【００３８】
［データベース比較部７２］
データベース比較部７２は、ゲート番号読取り部６２から入力されたゲート番号（図６）と、ＩＤ検索部６８から入力された個人データに含まれる区域番号（図１０）とを比較し、比較された結果を出力判断部７４に対して出力する。
【００３９】
［出力判断部７４］
出力判断部７４は、データベース比較部７２から入力された比較結果と、状態判断部６６から入力された移動通信機５の移動状態とに基づいて、表示・警告ＤＢ７６をアクセスする。
そして、出力判断部７４は、表示・警告ＤＢ７６から受入れたデータを表示部３０および警音部３２に対して出力する。
出力判断部７４は、出力が不要な場合には、出力制御プログラム６を終了させる。
【００４０】
［表示・警告ＤＢ７６］
図１１は、出力装置３の出力を例示する図である。
表示・警告ＤＢ７６には、出力装置３から出力されるデータ（図１１参照）が記憶されている。
表示・警告ＤＢ７６は、移動通信機５の基地局４に対する接近時および通過時などの場合に応じて、異なる表示データおよび警音データを出力判断部７４に対して出力する。
例えば、移動通信機５が基地局４に接近している場合には、表示部３０は、表示・警告ＤＢ７６に記憶されているデータを、出力判断部７４を介して受け入れ、接近者の氏名、ゲート番号、移動通信機５の移動状態などを表示する。
表示部３０と同様に、警音部３２は、表示・警告ＤＢ７６に記憶されているデータを、出力判断部７４を介して受け入れ、移動通信機５の移動状態などに応じて報知音を発する。
【００４１】
［出力制御プログラム６の動作］
図１２および図１３は、図１に示した監視システム１における出力制御プログラム６（図９）の動作を示すフローチャート（Ｓ１０）である。
図１２は、第１アンテナ４４−１が先に受信データを受信した場合の処理を示すフローチャートであり、図１３は、第２アンテナ４４−２が先に受信データを受信した場合の処理を示すフローチャートである。
【００４２】
図１２に示すように、ステップ１００（Ｓ１００）において、基地局４（図１など参照）は、第１アンテナ４４−１および第２アンテナ４４−２それぞれから、リクエスト信号を出力する。
【００４３】
ステップ１０２（Ｓ１０２）において、基地局４は、第１アンテナ４４−１および第２アンテナ４４−２のいずれかから、被介護者が接近していることを検出した場合、Ｓ１０４の処理に進み、その他の場合はＳ１００に戻る。
【００４４】
ステップ１０４（Ｓ１０４）において、ＩＤ読取り部６０は、ＩＤデータを読取ってＩＤ検索部６８に対して出力し、ゲート番号読取り部６２は、ゲート番号を読取って、データベース比較部７２に対して出力し、ＳＴＡＴＥ読取り部６４は、状態データを読取って、出力判断部７４に対して出力する。
【００４５】
ステップ１０６（Ｓ１０６）において、状態判断部６６は、基地局４が受信した信号が、第１アンテナ４４−１および第２アンテナ４４−２のいずれから受信した信号であるかを判断し、第１アンテナ４４−１から受信した信号の場合には、Ｓ１１８の処理に進み、第２アンテナ４４−２から受信した信号の場合は、Ｓ２００の処理に進む。
【００４６】
ステップ１０８（Ｓ１０８）において、ＩＤ検索部６８は、受信したＩＤデータに基づいて、ＩＤデータに対応する個人データをデータベース比較部７２に対して出力する。
【００４７】
ステップ１１０（Ｓ１１０）において、データベース比較部７２は、ゲート番号読取り部６２から入力されたゲート番号（図６参照）と、ＩＤ検索部６８から入力された個人データに含まれる区域番号（図１０参照）とを比較する。
ゲート番号が区域番号以下の場合には、被介護者の移動可能な区域と移動が禁止されている区域との境界に設けられた基地局４に対し、被介護者が接近しているとみなしてＳ１１２の処理に進み、ゲート番号が区域番号よりも大きい場合には、出力制御プログラム６を終了する。
【００４８】
ステップ１１２（Ｓ１１２）において、警音部３２は、出力判断部７４を介して入力される表示・警告ＤＢ７６のデータに基づいて、被介護者が通過可能でない基地局４に接近したことを示す警音を発生させる。
【００４９】
ステップ１１４（Ｓ１１４）において、表示部３０は、出力判断部７４を介して入力される表示・警告ＤＢ７６のデータに基づいて、接近者の氏名・ゲート番号などを表示する。
【００５０】
ステップ１１６（Ｓ１１６）において、基地局４が第２アンテナ４４−２からＩＤデータを受信した場合、被介護者が移動可能な区域の境界を通過したとみなしてＳ１１８の処理に進み、その他の場合は、Ｓ１２４の処理に進む。
【００５１】
ステップ１１８（Ｓ１１８）において、データベース比較部７２は、Ｓ１１０と同様にゲート番号読取り部６２から入力されたゲート番号と、ＩＤ検索部６８から入力された個人データに含まれる区域番号とを比較する。
ゲート番号が区域番号以下の場合には、被介護者が移動可能な区域の境界を通過したとみなして、Ｓ１２０の処理に進み、ゲート番号が区域番号よりも大きい場合には、出力制御プログラム６を終了する。
基地局４に接近したことを検出された被介護者のみがＳ１１６の処理をされたとみなす場合には、Ｓ１１８の処理をスキップすることもできる。
【００５２】
ステップ１２０（Ｓ１２０）において、警音部３２は、出力判断部７４を介して入力される表示・警告ＤＢ７６のデータに基づいて、被介護者が通過可能でない基地局４を通過したことを示す警音を発生させる。
【００５３】
ステップ１２２（Ｓ１２２）において、表示部３０は、出力判断部７４を介して入力される表示・警告ＤＢ７６のデータに基づいて、通過者の氏名・ゲート番号などを表示する。
【００５４】
ステップ１２４（Ｓ１２４）において、状態判断部６６は、ＳＴＡＴＥ読取り部６４を介し、被介護者が基地局４から離れたか否かを検出し、離れた場合にはＳ１２６の処理に進み、その他の場合には、Ｓ１１２の処理へ進む。
基地局４は、常時リクエスト信号を出力しているので、第１アンテナ４４−１から受信している移動通信機５からのＩＤデータが、第２アンテナ４４−２からの受信に切り替わることなく途切れると、被介護者が基地局４から離れたとみなす。
【００５５】
ステップ１２６（Ｓ１２６）において、出力判断部７４は、警音部３２が発生させている警音を停止させる。
【００５６】
ステップ１２８（Ｓ１２８）において、出力判断部７４は、表示部３０が表示している接近者の氏名・ゲート番号などの表示を停止させる。
【００５７】
ステップ２００（Ｓ２００）において、ＩＤ検索部６８は、受信したＩＤデータに基づいて、ＩＤデータに対応する個人データをデータベース比較部７２に対して出力する。
【００５８】
ステップ２０２（Ｓ２０２）において、警音部３２は、移動可能な区域外から基地局４に接近している接近者があることを警音により報知する。
【００５９】
ステップ２０４（Ｓ２０４）において、表示部３０は、出力判断部７４を介して入力される表示・警告ＤＢ７６のデータに基づいて、移動可能な区域外から基地局４に接近している接近者の氏名・ゲート番号などを表示する。
【００６０】
ステップ２０６（Ｓ２０６）において、基地局４が第１アンテナ４４−１からＩＤデータを受信した場合、被介護者が移動可能な区域外から移動可能な区域内へ戻ったとみなしてＳ２０８の処理に進み、その他の場合は、Ｓ２１２の処理に進む。
【００６１】
ステップ２０８（Ｓ２０８）において、警音部３２は、出力判断部７４を介して入力される表示・警告ＤＢ７６のデータに基づいて、被介護者が移動可能な区域内へ戻ったことを示す報知を行う。
【００６２】
ステップ２１０（Ｓ２１０）において、表示部３０は、出力判断部７４を介して入力される表示・警告ＤＢ７６のデータに基づいて、移動可能な区域内へ戻った被介護者の氏名・ゲート番号などを表示する。
【００６３】
ステップ２１２（Ｓ２１２）において、状態判断部６６は、ＳＴＡＴＥ読取り部６４を介し、被介護者が基地局４から離れたか否かを検出し、離れた場合にはＳ２１４の処理に進み、その他の場合には、Ｓ２０２の処理へ進む。
【００６４】
ステップ２１４（Ｓ２１４）において、警音部３２は、出力判断部７４を介して入力される表示・警告ＤＢ７６のデータに基づいて、被介護者が移動可能な区域から離れたことを示す注意の報知を行う。
【００６５】
ステップ２１６（Ｓ２１６）において、表示部３０は、出力判断部７４を介して入力される表示・警告ＤＢ７６のデータに基づいて、移動可能な区域から離れた被介護者の氏名・ゲート番号などを表示する。
【００６６】
以上のように、被介護者を監視する監視者は、監視システム１によって、被介護者が移動可能な区域の出入り口に設けられた基地局４に対し、いずれの方向からも、接近または通過したことを監視センター（図示せず）から監視することができる。
よって、監視システム１は、被介護者などを強制的に施設内などに閉じ込めることなく、被介護者を精神的に安心させて個別に監視することができるとともに、ゲートに設けられた扉を開閉する監視システムよりも簡易に構成される。
基地局４は、被介護者の移動可能な区域の全ての出入り口に設けられ、それぞれ個別のゲート番号を設定されてもよいし、複数の基地局４が同一のゲート番号を付されることにより、グループ化されてもよい。
【００６７】
【発明の効果】
以上説明したように、本発明にかかる監視システムによれば、基地局が受信した移動通信機のデータとデータベースとに基づいて、移動通信機を監視するようにしたので、確実に移動体を監視することができる。
【図面の簡単な説明】
【図１】本発明にかかる監視システムの構成を例示する図である。
【図２】図１に示したゲートＩＦの構成を示す図である。
【図３】図１に示した移動通信機の構成を示す図である。
【図４】図３に示したＩＤチップの構成を示す図である。
【図５】図１に示した基地局の構成を示す図である。
【図６】基地局それぞれに付されたゲート番号を例示する図表である。
【図７】病院敷地の外門および病棟の出入り口に、基地局がぞれぞれ設けらている例を示す図である。
【図８】複数の基地局が病棟内に設置されている例を示す図である。
【図９】本発明にかかる監視システムの出力制御プログラムの構成を示す図である。
【図１０】ＩＤデータベースに記憶された個人データを例示する図表である。
【図１１】出力装置の出力を例示する図である。
【図１２】第１アンテナが先に受信データを受信した場合の処理を示すフローチャートである。
【図１３】第２アンテナが先に受信データを受信した場合の処理を示すフローチャートである。
【符号の説明】
１・・・監視システム
１０・・・回線
２・・・システム制御装置
２０・・・システム制御部
２２・・・入力部
２４・・・記憶部
２６・・・ゲートＩＦ
３−１〜３−Ｊ・・・出力装置
３０−１〜３０−Ｊ・・・表示部
３２−１〜３２−Ｊ・・・警音部
４−１〜４−Ｋ・・・基地局（ゲート通信機）
４０・・・送受信制御部
４０２・・・ＣＰＵ
４０４・・・メモリ
４４−１・・・第１アンテナ
４４−２・・・第２アンテナ
４００−１〜４００−Ｍ・・・区域
５−１〜５−Ｎ・・・移動通信機
５２・・・ＩＤチップ
５２０・・・アンテナ
５２６・・・メモリ
６・・・出力制御プログラム
６０・・・ＩＤ読取り部
６２・・・ゲート番号読取り部
６４・・・ＳＴＡＴＥ読取り部
６６・・・状態判断部
６８・・・ＩＤ検索部
７０・・・ＩＤデータベース
７２・・・データベース比較部
７４・・・出力判断部
７６・・・表示・警告データベース
【図１】
2004240733.tif 000003
【図２】
2004240733.tif 000004
【図３】
2004240733.tif 000005
【図４】
2004240733.tif 000006
【図５】
2004240733.tif 000007
【図６】
2004240733.tif 000008
【図７】
2004240733.tif 000009
【図８】
2004240733.tif 000010
【図９】
2004240733.tif 000011
【図１０】
2004240733.tif 000012
【図１１】
2004240733.tif 000013
【図１２】
2004240733.tif 000014
【図１３】
2004240733.tif 000015